(57)【要約】      （修正有）【課題】爆弾、ミサイル、迫撃艦載防御手段、手持銃に有用であり、短時間に多数の弾丸を発射するのに用いら得る手段を提供する。【解決手段】銃身アセンブリ１０は銃身１２、銃身内に軸方向に配された弾丸アセンブリ１４、発射装薬１６、点火部材１８、制御手段２０を具える。弾丸アセンブリ１４は銃身から順次に発射される。武器システム、銃身の構造、発射装薬の圧縮を防ぐ手段、及び弾丸アセンブリと銃身の間の密封を確保するための手段も開示されている。【選択図】図１
2005121363.tif 000002
【特許請求の範囲】
【請求項１】
多数の弾丸を含む銃身アセンブリ用弾丸（１４）であって、スペーサ（２８，４０）およびこのスペーサを囲む膨張可能なヘッド部（２６，３８）を有する前記弾丸において、
銃身（１２）内にあるとき、前記スペーサに対する前記ヘッド部の後方移動により、前記ヘッド部と前記スペーサの相補部（３８，４０）が前記ヘッド部を膨張して前記銃身の銃腔と密封を形成するように相互作用することを特徴とする弾丸（１４）。
【請求項２】
前記ヘッド部と前記スペーサの前記相補部（３８，４０）が、前記銃身の前部に向かってテーパ状に形成されたほぼ円錐形の表面を含むことを特徴とする請求項１記載の弾丸。
【請求項３】
前記スペーサが鼻部、中心部および尾部を有し、前記ヘッド部が前記鼻部と前記中心部とを囲んでいることを特徴とする請求項１記載の弾丸。
【請求項４】
前記中心部が、前記密封を形成するように前記ヘッド部と相互作用する前記相補部であることを特徴とする請求項３記載の弾丸。
【請求項５】
前記ヘッド部が、前記中心部との相互作用により前記弾丸上に保持されることを特徴とする請求項３記載の弾丸。
【請求項６】
前記鼻部と前記尾部がほぼ円錐形であり、前記銃身の軸と整列していることを特徴とする請求項３記載の弾丸。
【請求項７】
前記銃身内にあるとき、前記鼻部と前記尾部がそれぞれ、先導弾丸と尾行弾丸の尾部と鼻部に接することを特徴とする請求項３記載の弾丸。
【請求項８】
前記ヘッド部が、前記密封を形成するように前記銃身の内面と相互作用する外面を有することを特徴とする請求項１記載の弾丸。
【請求項９】
前記尾部が、前記弾丸を前記銃身から発射するのに前記銃身内に必要とされる発射の体積により決められた長さを有することを特徴とする請求項３記載の弾丸。
【請求項１０】
スペーサ（２８，４０）、発射装薬（１６）およびこのスペーサを囲むヘッド部（２６，３８）を有する各弾丸（１４）を提供する工程、
前記銃身に沿って軸方向に前記ヘッド部に力を加える工程、
前記スペーサを前記銃身内にほぼ剛体的に維持する工程、および
前記ヘッド部を前記銃身の銃腔と密封接触するように前記スペーサ上で半径方向に膨張する工程を含むことを特徴とする、銃身（１２）に弾丸（１４）を密封する方法。
【請求項１１】
鼻部―尾部間に接触しているスペーサを有する前記銃身内に複数の弾丸を整列させることをさらに含むことを特徴とする請求項１０記載の弾丸（１４）を密封する方法。
【請求項１２】
前記発射装薬は、前記ヘッド部の後部にあって、かつ前記スペーサにより決められた体積中に提供されることを特徴とする請求項１０記載の弾丸（１４）を密封する方法。
【請求項１３】
前記弾丸を前記銃身から発射するとき前記ヘッド部を緩和して前記密封接触を取り除くことをさらに含むことを特徴とする請求項１０記載の弾丸（１４）を密封する方法。
【請求項１４】
鼻部から尾部へ整列されて銃身（１２）から順次発射される複数の弾丸（１４）を備えた銃身（１２）を有する銃身アセンブリであって、各弾丸がスペーサ（２８，４０）、発射装薬（１６）およびこのスペーサを囲む膨張可能なヘッド部（２６，３８）を有し、各ヘッド部が、前記スペーサに対する前記ヘッド部の後方移動により前記銃身の銃腔と密封接触するように膨張されることを特徴とする銃身アセンブリ。
【請求項１５】
前記発射装薬は、それぞれのスペーサによりそれらのそれぞれのヘッド部の後部に前記銃身に配置されることを特徴とする請求項１４記載の銃身アセンブリ。
【請求項１６】
前記弾丸は、それらのそれぞれのスペーサにより前記銃身内に整列されることを特徴とする請求項１４記載の銃身アセンブリ。
【請求項１７】
前記弾丸を前記銃身から順次発射する点火システムをさらに有することを特徴とする請求項１４記載の銃身アセンブリ。
【請求項１８】
スペーサ（２８，４０）およびこのスペーサを囲むヘッド部（２６，３８）を有する各弾丸（１４）を提供する工程、
前記弾丸を、銃身（１２）内に軸方向にそれぞれの発射装薬と整列させる工程、
前記ヘッド部をそれらのそれぞれのスペーサ上で後方に移動させるように前記銃身に沿って力を掛ける工程、
前記ヘッド部のそれぞれの移動の結果、前記ヘッド部を膨張する工程、
それぞれの前記膨張の結果、前記ヘッド部と前記銃身との間に多数の密封を形成する工程、および
前記弾丸を前記銃身から順次発射する工程を含むことを特徴とする、銃身（１２）から弾丸（１４）を発射する方法。
【請求項１９】
前記銃身に沿った前記力は、前記発射装薬の発射に反応することにより前記弾丸上に掛けられることを特徴とする、請求項１８記載の銃身（１２）から弾丸（１４）を発射する方法。
【請求項２０】
前記銃身に沿った前記力は、前記弾丸が発射される前に掛けられることを特徴とする、請求項１８記載の銃身（１２）から弾丸（１４）を発射する方法。
【請求項２１】
各ヘッド部の膨張は、前記ヘッド部とそれぞれの前記スペーサとの上の相補表面間の相互作用により生じることを特徴とする、請求項１８記載の銃身（１２）から弾丸（１４）を発射する方法。
【請求項２２】
前記相補表面は、前記銃身の前部に向かってテーパ状に形成されることを特徴とする、請求項２１記載の銃身（１２）から弾丸（１４）を発射する方法。
【請求項２３】
前記発射装薬は、それぞれのスペーサにより決められた体積中に前記弾丸間に提供されることを特徴とする、請求項１８記載の銃身（１２）から弾丸（１４）を発射する方法。
【発明の詳細な説明】
【発明の背景】
【０００１】
本発明は火器に関するものである。
【０００２】
本発明は、自動高速発射火器として有用であり、それにより例えば、爆弾、ミサイル、又は攻撃航空機に対する迫撃艦載防御手段として短時間に多数の弾丸を発射するのに用いられ得る。本発明は、使い捨てのものも含めて速射ピストルあるいはライフルのような手持銃に有用である。
【０００３】
最近大多数の火器は、銃身に機械的に供給されるカートリッジ弾薬を用いている。この種の火器は多数の動く部分を有し、重く複雑になり易く、ひっかかったり、信頼性がなく、発射速度を保つためには精巧な供給装填システムに要するこのタイプの自動火器の発射速度は、カートリッジを装填し、銃身を封じ、銃身を開放し、空薬きょう（莢）を排出するのに要する時間によって制約される。
【０００４】
さらに最近になると、発射後に空薬きょうを排出する必要をなくした無薬きょう弾薬を用いることが始まった。しかしこの種火器は従来の火器の課題の多くをそのまま保っている。
【発明の要旨】
【０００５】
本発明は、従来技術に代わる、その不利益の少なくとも一つを解消するであろ
う新たなシステムを提供することを目的とする。
【０００６】
一つの観点によれば、本発明は下記を包含する銃身アセンブリを提供する。
銃身、
銃身の銃腔と作動の際係合して密封するよう銃身内に軸方向に配された複数の弾丸アセンブリ、
銃身の発射口を通して個々の弾丸アセンブリを順次に発進させる、区分された発射薬充填物（発射装薬）、
区分された発射装薬に点火する点火部材、及び
選択的かつ順次に点火部材を作動させる制御手段。
【０００７】
点火部材は、電気的でも、化学的でも、機械的でも、あるいは他の何かの常用的雷管の何れでもよい。便利なのは、点火部材を電気的とし、制御手段を、個々の点火部材に電気点火パルスを供給するようにした電気的制御とすることである。制御手段は、望みの発射パターンを得るように使用者がパルスの速度、数、頻度を選択的に制御できるように構成されるのが好適である。制御手段は単独に、一対で、あるいは他のどんな組合せで弾丸アセンブリを発射してもよい。
【０００８】
弾丸アセンブリは、丸くても、通常の形状でもよく、あるいは投槍状でそれが銃体から発進するときに、銃身が平滑内面であっても安定化旋回を生ずるように、その羽根(fin)が絞られていてもよい。さらに、弾丸アセンブリは、ライフル又はピストルの除去／交換可能な銃身として利用することもできる。
【０００９】
そのほか、銃身アセンブリは複数の銃身アセンブリの中の一つを構成してもよく、そして弾丸アセンブリの連なった複数の列が順番に発射されるように、各々の銃身アセンブリの点火手段が制御手段により作動されるようにしてもよい。弾丸アセンブリの列の照準と発射は、通常のレーダー発射制御システム又は他の公知の発射制御システムで制御されてもよい。個々の銃身アセンブリは、弾丸アセンブリの列が特定の領域に集中し、その領域に弾丸アセンブリの最大の密度を与えるように照準されてもよい。
【００１０】
その他に、弾丸アセンブリはある領域を最大限に覆うように拡散してもよい。これにより列内の弾丸アセンブリの間の標的における平均隔離距離は、標的の性質や範囲に合わせて設定及び調整することができる。もちろん、個々の銃身アセンブリは不規則に、あるいは別の銃身アセンブリと無関係に発射されてもよい。
【００１１】
複数の弾丸アセンブリは、銃身全体にわり連続して相接する関係にあってもよく、それには弾丸アセンブリが互いに連続してもよく、あるいは弾丸アセンブリを介して柱状部材が相接して圧縮に耐える柱を形成し、先行する弾丸アセンブリの発射のために生ずる圧力による弾丸アセンブリ又はそれに附随する発射装薬の圧縮に耐えるようにしてもよい。
【００１２】
発射装薬は固形でも粒状でもよい。どちらの場合も圧縮は望ましくなく、さらに銃身に対する弾丸アセンブリの相対運動は各発射装薬と点火部材の食い違いを起こすかもしれない。
【００１３】
発射装薬の前面部分を加速するためのエネルギーの損失のおそれを小さくするため、発射装薬の前端に点火部材を配することが好ましい。
【００１４】
各々の弾丸アセンブリは、発射装薬の空間を少なくとも部分的に区画するような弾頭及び延長部材を有することが好ましい。好ましくは、延長部材は、弾頭から後方に伸びて隣接の弾丸アセンブリに当接するスペーサアセンブリを有するのがよい。
【００１５】
一つの態様では、スペーサアセンブリが発射薬スペースと弾頭を通して伸び、それにより圧力負荷が相接する次のスペーサアセンブリを介して直接に伝えられる。このような態様では、スペーサアセンブリは、弾頭の薄い円筒状の後方部をなすこともある延長部材に対して支持を与えてもよい。さらに、弾頭を通しての燃焼洩れを防ぐため、延長部材は銃身の銃腔と作動時に密封接触を形成してもよい。
【００１６】
スペーサアセンブリは好ましくは剛性のカラーを有し、カラーは外側へ拡がって、可鍛弾頭の薄い筒状の後部を、銃身の銃腔と作動時に密封接触するように係合させるので、軸方向の圧縮負荷がスペーサアセンブリの間で直接伝えられるようになり、その結果可鍛弾頭の変形が避けられる。
【００１７】
他の態様ではスペーサアセンブリ上と弾頭上にそれぞれ、互いに見合うくさび面が設けられてもよく、これによって弾頭は、スペーサ部材と弾頭の間の軸方向の相対的圧縮に伴って銃身の銃腔と係合するよう促される。このような配置において弾頭とスペーサアセンブリとは銃身に搭載されてもよく、それに伴って軸方向の変位が生じ、弾頭と銃身の間の良好な密封を保証する。延長部材は銃身の銃腔と係合されるように促されるのが適切である。
【００１８】
好ましくは、弾頭はその後端にテーパをつけた開口を有し、そこへスペーサアセンブリの前端に設けられた見合いのテーパのついた栓がはまりこむようにする。この場合、弾頭とテーパ付栓との間の軸方向相対運動は半径方向に脹らむ力を生じ、この力が弾頭に加えられる。
【００１９】
銃身は非金属でもよく、また銃身の銃腔には、点火部材を完全に又は部分的に収容する凹部を有してもよい。この場合に銃身は、制御手段と点火部材の間の電気的連絡を可能にする電気伝導体を内蔵する。この構成は使用の寿命の限られた使い捨て銃身アセンブリに利用してもよく、その目的の点火部材および制御ワイヤは銃身と一体的に作ることもできる。
【００２０】
他の構成では、銃身アセンブリは銃身に点火窓を有し、点火部材は銃身の外側に点火窓に接近して設けられる。銃身は非金属の外筒で囲まれてもよく、外筒には点火部材を収容できるような凹部を設けてもよい。外筒も、制御手段と点火部材の間の電気的連絡を可能にする電気伝導体を内蔵することができる。外筒は積層プラスチック銃身として形成されてもよく、点火部材のためのプリント回路積層体を内蔵してもよい。
【００２１】
上記の構成はいずれも、モジュール又は使い捨ての場合にもあてはまる。銃身アセンブリはそのままでの発射に適するようにしてもよく、あるいは枠の中に取り付けるようにしてもよい。
【００２２】
安全のために、銃身アセンブリは各々の点火部材に付属した、先行する弾丸アセンブリが放出されると閉じる発砲スイッチを有してもよい。好ましくは、この発砲スイッチは、通常は先行の弾丸アセンブリによって阻まれる付勢手段によって閉じられる。好ましい実施態様では、弾頭及びスペーサアセンブリが各々、通常は互いに電気的に絶縁されたスイッチ接点を構成する。そしてそこで銃身とスペーサ体の間の電気的回路は、先行の弾丸アセンブリが放出されるのに応じて完成される。この構成では、銃身は弾頭と電気的に接続されているが、同時に電極の一方とも接触している。
【００２３】
別の観点において本発明は、広汎には大気空間防衛の方法に存し、実質的に上述のような銃身アセンブリの複数をそなえること、及び素早く続けざまに銃身アセンブリ中の発射装薬を順次に点火して、大気空間へ弾丸アセンブリの連続した列を発進させることから成る。
【好ましい実施態様の説明】
【００２４】
図１を参照すると、銃身アセンブリ１０が示されており、それは銃身１２、銃身１２の銃腔と作動時に密封する係合をなすための、銃身１２内に軸方向に配された複数の球形弾丸１４、各々の弾丸アセンブリ１４を個々にそして順次に銃身１２の銃口を通して発進させるための、隣り合う弾丸アセンブリ１４の間に設けられた不連続の発射装薬１６、不連続発射装薬に点火する点火部材１８、そして点火部材１８を選択的に順次に発動させる制御手段２０を具える。
【００２５】
使用の際には、先行する弾丸アセンブリ１４は、先発の点火部材１８により先発の発射装薬１６の点火とともに発射される。その後、後続の弾丸アセンブリは同様にして順次に発射される。火薬供給システムも動く部分もなく、発射速度は実際上各弾丸アセンブリが銃身を脱出するのに要する時間のみによって制約される。
【００２６】
制御手段は発射速度を制御する時間遅延手段を有してもよく、そして／あるいは、点火部材の各手動操作に応じて、例えば引き金をひくことにより、選ばれた数の連続点火を可能にするタイミング手段を有してもよい。点火の形式、つまり全弾発射、速射の短い集中射、特定数の弾丸の連射、操作毎の発射等を使用者が選択できるようにするモードスイッチを、制御手段と組み合わせてもよい。制御手段として集積回路電子制御手段を用いることが好ましく、銃身アセンブリの部分として製作されてもよい。
【００２７】
図２を参照すると、銃身アセンブリは多数の銃身アセンブリの一つをなし、弾丸アセンブリの引続いた複数の列が、図３に示すように相前後して発射されるように、制御手段が各銃身アセンブリの点火部材を作動させる。複数の銃身アセンブリは莢（ポッド）２２を形成し、複数の莢は変形可能なマウント２４上に取り付けられる。銃身アセンブリの照準と発射は、レーダー発射制御システム２５あるいは他の通常システムにより制御される。
【００２８】
一つの形式では、各々の銃身は2.25ｍの長さで、20mmの外径を有する。発射装薬と弾丸アセンブリの組合せの長さは50mmである。銃身を0.25ｍ残して、４０個の弾丸アセンブリを組合わせの発射装薬とともに銃身に予め装填することができる。莢は例えば0.25ｍに0.75ｍの断面を有し、従って約1200の銃身アセンブリが収容される。それ故、莢には48000の弾丸アセンブリを予め装填できる。
【００２９】
これにより、比較的小さい武器に著しい火力を与えることができ、そして各銃身アセンブリの発射速度が通常の自動火器により得られる速度を大きく上回ることから考えれば、極めて高い発射速度が可能になる。銃身アセンブリは、非常に堅いものになる比較的軽量の蜂の巣構造を形成してもよく、また必要なら、外向きに発散する高温爆発ガスの膨張によって生ずる拡散的傾向に抗する形で、武器に比較的近い一点に集中するように銃身を配置してもよい。その代わりにガスの急な外向きの発散を防止するために箱型のバッフルを用いることができる。このバッフルは、発射中に銃身の末端を通して伸びるように、外側の銃身部分のまわりに摺動可能に支持されてもよい。この予測される効果を緩和する他の方法は、弾丸発射を若干ゆらめかせることである。
【００３０】
図４から図１０の実施態様を参照すると、弾丸アセンブリは、耐圧縮筒を形成するように軸に沿って当接する関係で配される。軸方向の圧縮性負荷は、先行する弾丸アセンブリの発進により銃身に発生する圧力によって生ずる。圧縮は発射装薬の燃焼速度の変化や、各発射装薬と点火部材との位置ずれや、あるいは発射装薬の早期点火をもたらす。
【００３１】
各々の弾丸アセンブリ１４は、弾頭２６と、スペーサアセンブリ２８の形で発射薬空間を形成する手段をそなえ、スペーサアセンブリ２８は軸方向に、そして弾頭２６から後方へ伸び、隣接する弾丸アセンブリ１４に当接する。
【００３２】
弾頭２６は、銃身１２との作動時の密封を可能にするため、鉛のような重い可鍛材料で形成される。スペーサアセンブリ２８は鋼のような剛性材料で形成される。
【００３３】
図５の実施態様において、スペーサアセンブリ２８は弾頭２６から軸方向に伸びる筒の形をとる。この筒の内部には発射装薬１６が収容されており、半径方向の過大な膨張を避けるため構造的に補強されている。筒の末端は後続の弾丸アセンブリ１４の先端に当接するようにされている。
【００３４】
図５、６、７の実施様態を参照すると、スペーサアセンブリ２８は弾頭２６を通して弾頭２６の前端へ広がり、圧縮負荷は隣り合うスペーサアセンブリ２８の間に直接伝達される。スペーサアセンブリ２８は弾頭２６の薄い筒状の後部３０を、銃身１２の銃腔と作動時密封接触するように支持する。詳しくは、スペーサアセンブリ２８は半径方向に外側に広がるカラーフランジ３２をそなえ、これが弾頭２６の薄い筒状の後部３０を、銃身１２の銃腔と作動時に密封接触するように支持する。
【００３５】
図９と１０の実施態様によると、互いに見合う楔面３４、３６がスペーサアセンブリ２８と弾頭２６の上にそれぞれ設けられ、それにより弾頭２６の薄い筒状の尾部３０は、弾丸アセンブリ１４に与えられる軸方向の加圧負荷に伴って銃身１２の銃腔に係合させられる。弾頭２６はその後端にテーパ付の開口３８を囲い、そこへスペーサアセンブリ２８の前端に設けられた、ちょうど逆のテーパのついた栓を受け止める。テーパ付の開口３８と逆のテーパのついた栓４０の間の軸方向の相対運動は、半径方向に拡大する力を弾頭２６の薄い筒状の尾部３０に加える。
【００３６】
図７の態様では、銃身１２が非金属で、銃腔は点火部材１８を少なくとも部分的に収容するくぼみ４２を有する。銃身１２はKevlar,炭素せんい、ガラス強化ポリマー等で作られてもよい。それで銃身アセンブリは軽量かつ使い捨てにできる。銃身１２は制御手段と点火部材の間の電気的伝達を可能にする電気伝導体４４を内蔵する。
【００３７】
図８と図９の態様では銃身１２は点火窓４６をそなえ、点火部材１８は銃身の外側に窓に接近して配置される。銃身１２は非金属の外側銃身４８によって囲まれ、外側銃身の銃腔は点火部材を少なくとも部分的に収容するくぼみを有する。銃身アセンブリは鞘５０に摺動可能に受けとめられてもよい。外側銃身４８は制御手段と点火部材の間の電気的伝達を可能にする電気伝導体４４を内蔵する。
【００３８】
図１０を参照すると、点火部材１８に付随する発砲スイッチ５２は先行の弾丸アセンブリが放出されるのにつれて閉じる。詳しくは、先行の弾丸アセンブリが発射されてしまうと、付勢手段５４により発砲スイッチが閉じられる。弾頭２６とスペーサアセンブリ２８はそれぞれスイッチ接点をなしており、それらは通常は絶縁層５６により相互に電気的絶縁されている。先行の弾丸アセンブリが放出されるとともに発砲スイッチ５２が閉じると、銃身１２とスペーサアセンブリ２８の間の電気回路が完成される。点火部材１８は従って、先行の弾丸アセンブリが放出されたときに限り作動する。
【００３９】
四銃身手持銃６０が図１１に示されている。四銃身セット６１の銃身は四角をなして配置され、銃身セット６１の底部にある切り込み６３に食い込んでいる交換可能の四銃身マガジンブロック６２により供給される。銃身セット６１は、点火部材の電子制御体を含む把手６４と一体に成形されている。
【００４０】
四銃身マガジンブロック６２は銃身当たり５ラウンドが装填され、この数は勿論ブロックのサイズ、ラウンドのサイズにより変り得る。この態様ではマガジンブロック６２に２０ラウンド入っている。
【００４１】
発射速度パターン変化スイッチ６６は、マガジンブロック６２中の点火電子回路を選択的に制御するために設けられ、マガジンブロック６２が定位置にはめこまれた時に出会う接点を介して、手持銃中の回路と電気的に連結する。スイッチ６６は、電子制御で使用者が引き金６５の作動毎に各ラウンドを発砲できるように調節されてもよい。４ラウンドまでを同時に発砲するとか、全銃身について全ラウンドを自動的に発砲するとかに調節することができる。電気的に武器を不能化するために、安全止金６８を設けてもよい。カートリッジは使い捨てとすることが好ましく、発射するラウンドの形式を使用者が選択及び／又は迅速に変更できるように、いろいろの形をとることができる。
【００４２】
上記態様に用いる弾丸は、図１２及び図１３に示すように、外側の階段あるいは螺旋状の隆起をそなえてもよい。隆起７０は飛行中に旋回を起こすように弾丸の鼻に設けられている。示された形では、7.62mmの弾丸７１は、弾丸の鼻から放射状にひろがる四本の螺旋状隆起７０を有している。隆起の平均の高さは1.5mmであり、弾丸の鼻の全長にわたっているが、弾丸の側面にはない。そのピッチは１メートル進むごとにその長軸方向のまわりに弾を一回転させるのに丁度よく作られている。
【００４３】
勿論、必要なら弾の鼻のまわりに、平均に離れた二本以上の螺旋状隆起を用いてもよい。さらに隆起の高さ、長さ、螺旋のピッチ又は角度、螺旋の幾何学的曲線形状は、望みの飛行特性に合わせて変えることができる。隆起は弾丸の側面に沿って伸びてもよい。螺旋状隆起の断面の形は弾薬の使用の意図に従って、また気流に対する反応に従って、比較的平坦でも鋭角でもよい。
【００４４】
図１３に示すように隆起７０は急な前面７２を有してもよく、それは弾丸上の気流に対する抵抗を生じ、弾丸を回転させる。また平坦な頂部７３と、弾丸表面にゆるい傾斜をもつ、すそを引いた面７４を有してもよい。
【００４５】
このような弾薬はライフル銃身武器に有利に用いられる。弾丸上の螺旋も発射中のスピン発生を助けるので、弾丸の柔らかい金属に対してライフルの台の縁によって通常与えられる圧力が軽減される筈である。それ故、弾丸の側面に及ぶ程長くライフルの旋条を切る必要はない。むしろMinieガス封止システムの小さい拡張バンドが充分にスピン促進を助ける。柔らかいターゲットとの衝突に際し、本発明の螺旋状弾丸は、標的物を通過する際に高い捻りの度合いを保ち、隆起上の圧力増加に反応する性質がある。
【００４６】
上述したものは単に発明の例として挙げたものであり、当業者にとって明かな変形及び変更は、ここに述べた発明の広い領域及び範囲に含まれると見なされることを理解されたい。
【図面の簡単な説明】
【００４７】
【図１】図１は、本発明による銃身アセンブリの一実施態様の断面模式図である。
【図２】図２は、ポッドとして集積された本発明による複数の銃身アセンブリの概念を模式的に示す。
【図３】図３は、図２のポッドから発射される弾丸アセンブリの列の模式図である。
【図４】図４は、弾丸アセンブリが投槍の形をしている本発明の銃身アセンブリの一実施態様の断面模式図である。
【図５】図５は、本発明の銃身アセンブリの他の実施態様の断面模式図である。
【図６】図６は、本発明の銃身アセンブリの他の実施態様の断面模式図である。
【図７】図７は、本発明の銃身アセンブリの他の実施態様の断面模式図である。
【図８】図８は、本発明の銃身アセンブリの他の実施態様の断面模式図である。
【図９】図９は、本発明の銃身アセンブリの他の実施態様の断面模式図である。
【図１０】図１０は、本発明の銃身アセンブリの他の実施態様の断面模式図である。
【図１１】図１１は、本発明に従って製作されたピストルの図解である。
【図１２】図１２は弾丸の別の形を示す。
【図１３】図１３は弾丸の別の形を示す。
【図１】
2005121363.tif 000003
【図２】
2005121363.tif 000004
【図３】
2005121363.tif 000005
【図４】
2005121363.tif 000006
【図５】
2005121363.tif 000007
【図６】
2005121363.tif 000008
【図７】
2005121363.tif 000009
【図８】
2005121363.tif 000010
【図９】
2005121363.tif 000011
【図１０】
2005121363.tif 000012
【図１１】
2005121363.tif 000013
【図１２】
2005121363.tif 000014
【図１３】
2005121363.tif 000015